(57)【特許請求の範囲】
【請求項１】
電線同士を接続する接続箇所に取り付ける電線絶縁保護カバーであって、
筒状に形成された一対のストッパと、径が拡縮可能に形成された筒状の絶縁部材とを有し、
前記一対のストッパは、一端から他端にかけて前記電線を摺動可能に挿通する挿通孔が形成された筒状体と、この筒状体の外周面から外部方向に突設された突出部と、前記筒状体の外周面の周方向の一部を電線の挿通方向に沿って切り欠いて形成されたスリット部と、を有し、
前記突出部は、平板状に形成されると共に、間接活線用工具で把持される面が前記筒状体の延設方向に沿って形成され、
前記スリット部は、前記突出部に対して周方向で略直角の位置に形成され、
前記スリット部の開口は、周方向の開口距離が前記電線の絶縁被覆を含めた直径よりも僅かに短く形成され、
前記絶縁部材は、前記一対のストッパを亘すようにそれぞれの筒状体の外周面に径を拡張した状態で外装されると共に前記筒状体を外した状態で前記電線の直径よりも収縮可能に形成され、
ることを特徴とする電線絶縁保護カバー。
【請求項２】
前記突出部は、先端がフック状に形成された間接活線用先端工具と係止可能な係止孔が形成されたことを特徴とする請求項１に記載の電線絶縁保護カバー。
【請求項３】
前記ストッパは前記絶縁部材よりも摩擦係数が低いものであることを特徴とする請求項１又は２に記載の電線絶縁保護カバー。
【請求項４】
請求項１ないし３のいずれかに記載された電線絶縁保護カバーの取付方法であって、
一方の電線に前記電線絶縁保護カバーを挿通させてこの一方の電線に前記電線絶縁保護カバーを摺動可能に外装する工程と、
電線同士を接続する工程と、
前記電線の接続箇所を覆うように前記電線絶縁保護カバーの電線上の位置を調節する工程と、
前記ストッパを前記絶縁部材から引き抜く工程と、
前記ストッパを前記電線から外す工程と、
を有することを特徴とする電線絶縁保護カバーの取付方法。
【発明の詳細な説明】
【技術分野】
【０００１】
本発明は、電線の接続箇所の絶縁に用いられる電線絶縁保護カバー及びその取付方法に関する。
【背景技術】
【０００２】
たとえば、電柱に架線されている配電線に接続された引下線と、この電柱に設けられた変圧器に接続された引下線と、を接続する電線同士の接続は、それぞれの引下線の絶縁被覆を剥ぎ取って、芯線同士を接続スリーブにより圧着接続し、絶縁性能を確保するために接続スリーブと密着する絶縁保護カバーが取り付けられている。
【０００３】
このような絶縁保護カバーの一例としては、長手方向で直線状に分割した半割り円筒体の切断端縁に突出片を対設したカバー本体を有し、この円筒体の内周面中央に絶縁電線の芯線外径に合致する電線挟持部を設けた電線用被覆補修カバーが開示されている（特許文献１参照）。
【先行技術文献】
【特許文献】
【０００４】
【特許文献１】特開平６−２７６６４０号公報
【発明の概要】
【発明が解決しようとする課題】
【０００５】
ところで、このような電線同士の接続作業は、ヤットコなどの間接活線用工具を用いて行われるため、接続スリーブの圧縮時に意図としない方向に力が働き電線が曲がることがある。
しかしながら、特許文献１に記載の電線用被覆補修カバーは、プラスチック等の硬質の絶縁体で形成されているため電線が曲がっている状態では、電線挟持部に接続箇所を収容することができないという問題がある。
【０００６】
したがって、電線挟持部に電線同士の接続箇所を収容できるように電線の曲がりを直す作業が必要になるが、間接活線用工具を使用して電線の曲がりを直す作業は、力の加減が難しく電線に再度曲がりが生ずることもあり作業時間が長くなる問題がある。
【０００７】
また、電線の曲がる方向によっては、障害物などにより作業員が立ち入ることができない方向から力を加える必要があったりするため、作業が難航する問題もある。
【０００８】
さらに、一方の間接活線用工具で電線用被覆補修カバーの電線挟持部に接続箇所を入れた状態を保ち、他方の間接活線用工具で電線用被覆補修カバーを閉じなければならないため、操作が煩雑であり作業に熟練を要する問題がある。
【０００９】
さらにまた、接続スリーブの形状に合わせて電線用被覆補修カバーを用意する必要があるため汎用性がない問題もある。
また、電線用被覆補修カバーと電線同士の接続箇所との固定を強固にするため、電線用被覆補修カバーの外周を絶縁テープで巻く必要があるため、コストが増大する問題もある。
【００１０】
本発明は、かかる事情に鑑みてなされたものであり、容易な操作で引下線等の電線の曲がりに関係なく、電線同士の接続箇所に取り付けることが可能な電線絶縁保護カバー及びその取付方法を提供することを主たる課題としている。
【課題を解決するための手段】
【００１１】
上記課題を達成するために、本発明に係る電線絶縁保護カバーは、電線同士を接続する接続箇所に取り付ける電線絶縁保護カバーであって、筒状に形成された一対のストッパと、径が拡縮可能に形成された筒状の絶縁部材とを有し、前記一対のストッパは、一端から他端にかけて前記電線を摺動可能に挿通する挿通孔が形成された筒状体と、この筒状体の外周面から外部方向に突設された突出部と、前記筒状体の外周面の周方向の一部を電線の挿通方向に沿って切り欠いて形成されたスリット部と、を有し、前記突出部は、平板状に形成されると共に、間接活線用工具で把持される面が前記筒状体の延設方向に沿って形成され、前記スリット部は、前記突出部に対して周方向で略直角の位置に形成され、前記スリット部の開口は、周方向の開口距離が前記電線の絶縁被覆を含めた直径よりも僅かに短く形成され、前記絶縁部材は、前記一対のストッパを亘すようにそれぞれの筒状体の外周面に径を拡張した状態で外装されると共に前記筒状体を外した状態で前記電線の直径よりも収縮可能に形成され、ることを特徴としている。
【００１２】
電線絶縁保護カバーが一対のストッパと絶縁部材とを有して構成され、絶縁部材がストッパの筒状体を外した状態で前記電線の直径よりも収縮可能に形成されることで、ストッパを絶縁部材から引き抜く容易な操作だけで、電線の曲がりに関係なく電線同士の接続箇所に密着して取り付けることが可能となり、接続スリーブの形状に合わせた保護カバーが不要になるため、汎用性を向上させることが可能となる。
【００１３】
また、絶縁部材が収縮することで接続箇所全体に圧力がかかることになるため、電線用被覆補修カバーと電線同士の接続箇所との固定を強固にすることができ、電線用被覆補修カバーの外周を絶縁テープで巻く必要がなくなるため、絶縁テープに要するコストの低減を図り作業時間の短縮を図ることが可能となる。
【００１４】
突出部は、先端がフック状に形成された間接活線用先端工具と係止可能な係止孔が形成されるようにしてもよい。
突出部に係止孔が形成されることで、バインド打ち器のような先端がフック状に形成された間接活線用先端工具でストッパを絶縁部材から引き抜くことが可能となるため、操作性の向上を図ることができる。
【００１５】
ストッパは絶縁部材よりも摩擦係数が低いものであるようにしてもよい。
ストッパが絶縁部材よりも摩擦係数が低いことによって、絶縁部材の収容空間からストッパを容易に引き抜くことが可能となるため、作業時間の短縮を図ることが可能となる。
【００１６】
上述した電線絶縁保護カバーの取付方法であって、
一方の電線に前記電線絶縁保護カバーを挿通させてこの一方の電線に前記電線絶縁保護カバーを摺動可能に外装する工程と、電線同士を接続する工程と、前記電線の接続箇所を覆うように前記電線絶縁保護カバーの電線上の位置を調節する工程と、前記ストッパを前記絶縁部材から引き抜く工程と、前記ストッパを前記電線から外す工程と、を有することを特徴としている。
このような電線絶縁保護カバーの取付方法によれば、従来行われていた絶縁テープにより電線用被覆補修カバーの外周を巻く作業が不要になるため、作業工程の短縮化を図ることが可能となる。
【発明の効果】
【００１７】
以上述べたように、本発明の電線絶縁保護カバーによれば、電線絶縁保護カバーが一対のストッパと絶縁部材とを有して構成され、絶縁部材がストッパの筒状体を外した状態で前記電線の直径よりも収縮可能に形成されることで、ストッパを絶縁部材から引き抜く容易な操作だけで、電線の曲がりに関係なく電線同士の接続箇所に密着して取り付けることが可能となり、接続スリーブの形状に合わせた保護カバーが不要になるため、汎用性を向上させることが可能となる。このため、電線の曲がりを直す作業が不要になり作業時間の短縮を図ることが可能となる。
【００１８】
また、絶縁部材が収縮することで接続箇所全体に圧力がかかることになるため、電線用被覆補修カバーと電線同士の接続箇所との固定を強固にすることができ、電線用被覆補修カバーの外周を絶縁テープで巻く必要がなくなるため、絶縁テープに要するコストの低減を図り作業時間の短縮を図ることで、迅速で安価なサービスの提供をすることができる。
【図面の簡単な説明】
【００１９】
【図１】図１は、電線絶縁保護カバーの全体構成を示す斜視図であり、（ａ）は、ストッパを絶縁体本体に取り付けた電線絶縁保護カバーの斜視図である。（ｂ）は、絶縁部材を示す斜視図である。（ｃ）は、ストッパの斜視図である。
【図２】図２は、電線絶縁保護カバーを電線同士の接続箇所に取り付ける工程を示す斜視図であり、（ａ）は、片方の電線に電線絶縁保護カバーを挿通した状態を示す斜視図である。（ｂ）は、電線同士の接続箇所に接続スリーブを取り付けた状態を示す斜視図である。（ｃ）は、電線同士の接続箇所に電線絶縁保護カバーを取り付けた状態を示す斜視図である。（ｄ）は、ストッパを絶縁部材から引き抜いた状態を示す斜視図である。
【図３】図３は、電線絶縁保護カバーを電線同士の接続箇所に取り付ける工程を示すフローチャート図である。
【図４】図４は、ストッパの突出部に係止孔を設けた電線絶縁保護カバーを示す斜視図である。
【発明を実施するための形態】
【００２０】
以下、本発明の電線絶縁保護カバーについて、添付図面を参照して説明する。
【００２１】
図１及び２に示すように、電線絶縁保護カバー１は、電線２，３同士を接続する接続箇所４に取り付けるものであり、筒状に形成された一対のストッパ５と、径が拡縮可能に形成された絶縁部材６とを有して構成されている。
【００２２】
一対のストッパ５のそれぞれは、一端から他端にかけて電線２，３を摺動可能に挿通する挿通孔５１が形成された筒状体５０と、この筒状体５０の外周面５２から外部方向に突設された突出部５３と、外周面５２の周方向の一部を電線２，３の挿通方向に沿って切り欠いて形成されたスリット部５４と、を有して構成されている。
【００２３】
また、それぞれのストッパ５は、一端から他端までの全長が１０〜１５ｃｍほどで、絶縁部材６よりも摩擦係数が低い硬質のプラスチック等で形成されている。なお、硬質のプラスチックとしては、例えばポリエチレンなどが挙げられる。
【００２４】
挿通孔５１は、電線２，３上をスライドさせて移動させることができるように、直径が少なくとも電線２，３の絶縁被覆２１，３１を含めた径ｌよりも大きく形成されている。
【００２５】
突出部５３は、ヤットコ等の間接活線用工具（図示せず）で把持可能に形成されたもので、外周面５２の一端の近傍において外部方向（挿通孔５１の略直角方向）に突出して形成されている。
【００２６】
スリット部５４は、その周方向の開口距離ｍが電線２，３の絶縁被覆２１，３１を含めた直径ｌよりも短く形成されている。したがって、一定以上の力がスリット部５４に加わらなければ電線２，３からストッパ５が外れないようになっている。
【００２７】
絶縁部材６は、絶縁性のゴム素材で円筒状に形成されたもので、一対のストッパ５を亘すようにそれぞれの筒状体５０の外周面５２に径を拡張した状態で外装されると共に筒状体５０を外した状態で電線２，３の直径ｌよりも収縮可能に形成されている。
【００２８】
具体的には、絶縁部材６の内側には、ストッパ５を収容する収容空間６１が一端から他端にかけて形成されている。
収容空間６１は、ストッパ５を収容していないときはゴムの弾性力により電線２，３の直径ｌよりも小さくその径が収縮し、ストッパ５を収容空間６１に収容すると、ストッパ５の筒状体５０が収容空間６１を押し広げるため径が拡張する。
なお、収容空間６１から外周面６２までの厚さは、接続箇所４に求められる絶縁性能によって決定される。
【００２９】
以上で説明した電線絶縁保護カバー１について、電線２，３の接続箇所４に取り付ける方法について説明する。
図２及び３に示すように、一対のストッパ５の外周面５２のそれぞれを絶縁部材６の収容空間６１に挿通して取り付け、接続する一方の電線２に電線絶縁保護カバー１を挿通させて（ストッパ５の挿通孔５１に電線２を挿通させて）この一方の電線２に電線絶縁保護カバー１を摺動可能に外装する（ステップＳ０１）。
【００３０】
電線２，３の絶縁被覆２１，３１を剥ぎ取って芯線２２，３２同士を接続スリーブ７により圧着接続し、（ステップＳ０２）、電線２，３の接続箇所４を覆うように電線絶縁保護カバー１の電線２，３上の位置を調節し（ステップＳ０３）、ストッパ５を絶縁部材６から引き抜く（ステップＳ０４）。
ストッパ５のスリット部５４から電線２，３から外す（ステップＳ０５）。
【００３１】
ここで、ステップＳ０４において、ストッパ５を絶縁部材６から引き抜くときは、まず、一方のストッパ５の突出部５３を間接活線用工具で把持しておき、他方のストッパ５の突出部５３を間接活線用工具で絶縁部材６から引き抜く。次いで、引き抜かれた絶縁部材６の一端を間接活線用工具で把持して、残りのストッパ５の突出部５３を間接活線用工具で絶縁部材６から引き抜いて行う。
【００３２】
また、ステップＳ０５において、ストッパ５を電線２，３から外すときは、突出部５３を間接活線用工具で把持してスリット部５４から電線２，３を抜き出すようにして行う。
【００３３】
以上述べたように、本発明の電線絶縁保護カバー１によれば、電線絶縁保護カバー１が一対のストッパ５と絶縁部材６とを有して構成され、絶縁部材６がストッパ５の筒状体５０を外した状態で電線２，３の直径ｌよりも収縮可能に形成されることで、ストッパ５を絶縁部材６から引き抜く容易な操作だけで、電線２，３の曲がりに関係なく電線２，３同士の接続箇所４に密着して取り付けることが可能となり、接続スリーブ７の形状に合わせた保護カバーが不要になるため、汎用性が向上しコストの低減を図ることが可能となる。このため、電線２，３の曲がりを直す作業が不要になり作業時間の短縮を図ることが可能となる。
【００３４】
また、絶縁部材６が収縮することで接続箇所４全体に圧力がかかることになるため、電線用被覆補修カバー１と電線２，３同士の接続箇所４との固定を強固にすることができ、電線用被覆補修カバー１の外周を絶縁テープで巻く必要がなくなるため、絶縁テープに要するコストの低減を図り作業時間の短縮を図ることで、迅速で安価なサービスの提供をすることができる。
【００３５】
また、ストッパ５が絶縁部材６よりも摩擦係数が低いことによって、絶縁部材６の収容空間６１からストッパ５を容易に引き抜くことが可能となるため、作業時間の短縮を図ることが可能となる。
【００３６】
なお、以上で説明した電線絶縁保護カバー１の突出部５３に、図４に示すようなバインド打ち器のようなフック状の間接活線用先端工具で操作ができるように係止孔５５を設けてもよい。
このように係止孔５５を形成することで、バインド打ち器のような先端がフック状に形成された間接活線用先端工具でストッパ５を絶縁部材６から引き抜くことが可能となるため、操作性の向上を図ることができる。
【００３７】
また、本発明の電線絶縁保護カバーは、引下線同士の接続だけではなく、種々の電線同士の接続箇所の絶縁に用いることができるのはいうまでもない。
【符号の説明】
【００３８】
１  電線絶縁保護カバー
２，３  電線
４  接続箇所
５  ストッパ
５０  筒状体
５１  挿通孔
５２  外周面
５３  突出部
５４  スリット部
５５  係止孔
６  絶縁部材
６１  収容空間
【要約】      （修正有）【課題】容易な操作で引下線等の電線の曲がりに関係なく、電線同士の接続箇所に取り付けることが可能な電線絶縁保護カバー及びその取付方法を提供する。【解決手段】筒状に形成された一対のストッパ５と、径が拡縮可能に形成された筒状の絶縁部材６とを有し、一対のストッパは、一端から他端にかけて電線を摺動可能に挿通する挿通孔５１が形成された筒状体５０と、筒状体の外周面５２から外部方向に突設された突出部５３と、筒状体の外周面の周方向の一部を電線の挿通方向に沿って切り欠いて形成されたスリット部５４と、を有している。絶縁部材は、一対のストッパを亘すようにそれぞれの筒状体の外周面に径を拡張した状態で外装されると共に筒状体を外した状態で電線の直径よりも収縮可能に形成されている。【選択図】図１【図１】
0005563115.tif 000002
【図２】
0005563115.tif 000003
【図３】
0005563115.tif 000004
【図４】
0005563115.tif 000005